(57)【要約】【課題】階調値増加領域および輪郭領域を検出してより急峻な立上りにすることで、動画表示の際のエッジぼけを効果的に抑えて画質劣化を改善することができる画像表示方法を提供する。【解決手段】映像信号のフィールド間差分値と閾値Ａとを比較して階調値増加領域を検出する階調値増加領域検出部１０２と、現画素と隣接画素との差分値が閾値Ｂの輪郭領域を検出する輪郭領域検出部１０３と、階調値増加領域かつ輪郭領域である特定領域を検出する特定領域検出部１０４と、映像信号をサブフィールドデータに変換するサブフィールド変換部１０５と、サブフィールドデータと閾値Ｃとを比較して定数倍するサブフィールドシフト部１０６と、特定領域においてサブフィールドシフト部１０６を通過したサブフィールドデータを選択するセレクタ１０７とを備える。【選択図】図５
2006084624.tif 000002
【特許請求の範囲】
【請求項１】
１フィールドを輝度重みの異なる複数のサブフィールドで構成し各サブフィールドを発光または非発光制御することにより多階調表示する画像表示方法であって、
現フィールドの画像における輪郭領域でありかつ前フィールドよりも階調値の大きい領域を検出し、
前記検出された領域において、所定の輝度重み以上の輝度重みを有するサブフィールドが点灯する画素では本来発光させるべき輝度よりも明るい輝度で発光するような発光サブフィールドの組合せにし、それ以外の画素では本来発光させるべき輝度よりも暗い輝度で発光するような発光サブフィールドの組合せにすること
を特徴とする画像表示方法。
【請求項２】
映像信号の階調値が前フィールドよりも第１の閾値以上増加し、かつ隣接画素よりも第２の閾値以上増加している画素を検出することで、現フィールドの画像における輪郭領域でありかつ前フィールドよりも階調値の大きい領域の検出を行い、
前記検出された領域において、映像信号から作成され各サブフィールドの発光、非発光を数値情報としてあらわすサブフィールドデータが第３の閾値以上であればそれを定数倍することで本来発光させるべき輝度よりも明るい輝度で発光するような発光サブフィールドの組合せにし、前記サブフィールドデータが前記第３の閾値未満であればそれを定数分の１倍することで本来発光させるべき輝度よりも暗い輝度で発光するような発光サブフィールドの組合せにして、
前記検出された領域においては前記定数倍されたサブフィールドデータまたは前記定数分の１倍されたサブフィールドデータに基づいて各サブフィールドを発光または非発光制御し、前記検出された領域以外の領域においては映像信号から作成されたサブフィールドデータに基づいて各サブフィールドを発光または非発光制御すること
を特徴とする請求項１記載の画像表示方法。
【請求項３】
映像信号の階調値が前フィールドよりも第１の閾値以上増加し、かつ隣接画素よりも第２の閾値以上増加している画素を検出することで、現フィールドの画像における輪郭領域でありかつ前フィールドよりも階調値の大きい領域の検出を行い、
前記検出された領域において、映像信号の階調値が第３の閾値以上であればそれを定数倍しその定数倍された階調値に基づいてサブフィールドデータを作成することで本来発光させるべき輝度よりも明るい輝度で発光するような発光サブフィールドの組合せにし、映像信号の階調値が前記第３の閾値未満であればそれを定数分の１倍しその定数分の１倍された階調値に基づいてサブフィールドデータを作成することで本来発光させるべき輝度よりも暗い輝度で発光するような発光サブフィールドの組合せにして、
前記検出された領域においては前記定数倍された階調値または前記定数分の１倍された階調値から作成されたサブフィールドデータに基づいて各サブフィールドを発光または非発光制御し、前記検出された領域以外の領域においては映像信号から作成されたサブフィールドデータに基づいて各サブフィールドを発光または非発光制御すること
を特徴とする請求項１記載の画像表示方法。
【発明の詳細な説明】
【技術分野】
【０００１】
本発明は、プラズマデスプレイパネル（ＰＤＰ）やデジタルミラーデバイス（ＤＭＤ）等、１フィールドの画像を複数のサブフィールド画像に分割して多階調表示を行う画像表示方法に関する。
【背景技術】
【０００２】
発光と非発光の２値制御によって画像表示を行うＰＤＰやＤＭＤ等の画像表示装置では、１フィールドの画像を複数のサブフィールド画像に分割して多階調表示を行う、いわゆるサブフィールド法による画像表示が一般的である。サブフィールド法では、１フィールド期間を発光回数あるいは発光量で重み付けされた複数のサブフィールドに時間分割し、発光させるサブフィールドの組合せによって階調表示を行う。
【０００３】
図１０は、従来のＰＤＰにおけるサブフィールドの構成の一例を示した図である。図１０に示した例では、１フィールドを８つのサブフィールド（ＳＦ１、ＳＦ２、・・・、ＳＦ８）に分割し、それぞれのサブフィールドに（１、２、４、８、１６、３２、６４、１２８）の輝度重みを持たせている。各サブフィールドは、予備放電を行うセットアップ期間（Ｔ１）と、画素ごとに発光か非発光かのデータ書込みを行う書込み期間（Ｔ２）と、発光データの書込まれた画素を一斉に発光させる維持期間（Ｔ３）とからなる。これらのサブフィールドを組合せて発光させることにより、「０」から「２５５」までの２５６段階の階調を表示する。例えば、階調「７」を表示する場合は、輝度重み１、２、４を持つＳＦ１、ＳＦ２、ＳＦ３を発光させ、階調「２１」を表示する場合は、輝度重み１、４、１６を持つＳＦ１、ＳＦ３、ＳＦ５を発光させる。
【０００４】
このようなサブフィールド法を用いて多階調表示を行う表示方法においては、動画表示中に画質が劣化して観測される現象が生じることが知られている。その原因の１つに擬似輪郭（動画擬似輪郭）がある。この動画擬似輪郭について、１フィールドを、（１、２、４、８、１６、３２、６４、１２８）の輝度重みを持つ８つのサブフィールド（ＳＦ１、ＳＦ２、・・・、ＳＦ８）に分割した場合を例にして、説明する。
【０００５】
図１１は、ＰＤＰの画面上を画像パターンＸが水平方向に移動する場合を示した図であり、図１２は、画像パターンＸをサブフィールドに展開した図である。図１１に示すように、画像パターンＸは、階調値「１２７」の領域Ｐ１と、階調値「１２８」の領域Ｐ２とからなる。また、図１２において、横軸はＰＤＰの水平方向の画面位置を、縦軸は時間方向をそれぞれあらわし、ハッチングされたサブフィールドは発光しないサブフィールドをあらわしている。
【０００６】
例えば、画像パターンＸが静止しており、図１２の矢印Ａ−Ａ’に示すように、観測者の視点が水平方向に移動せず画面位置Ａに固定されたままの場合、観測者は、領域Ｐ１、領域Ｐ２の本来の階調値である「１２７」と「１２８」とを観測することができる。一方、画像パターンＸが左方向に移動し、観測者が画像パターンＸの移動を追いかけて矢印Ｂ−Ｂ’方向に視点を移動させた場合、観測者は、領域Ｐ２の非発光サブフィールド（領域Ｐ２のＳＦ１〜ＳＦ７）と領域Ｐ１の非発光サブフィールド（領域Ｐ１のＳＦ８）とを観測することがある。その場合、観測者は、領域Ｐ２のＳＦ１〜ＳＦ７と領域Ｐ１のＳＦ８とを連続して観測してしまい、結果的に階調値「０」、すなわち暗線を観測してしまう。逆に、画像パターンＸが右方向に移動し、観測者が画像パターンＸの移動を追いかけて矢印Ｃ−Ｃ’方向に視点を移動させた場合、観測者は、領域Ｐ１の発光サブフィールド（領域Ｐ１のＳＦ１〜ＳＦ７）と領域Ｐ２の発光サブフィールド（領域Ｐ２のＳＦ８）とを観測することがある。その場合、観測者は、領域Ｐ１のＳＦ１〜ＳＦ７と領域Ｐ２のＳＦ８とを連続して観測してしまい、結果的に階調値「２５５」、すなわち明線を観測してしまう。いずれにしても、本来の階調値（１２７または１２８）とは大幅に異なる階調値を観測することになり、これらが偽の輪郭、すなわち擬似輪郭として認識されてしまう。
【０００７】
このように擬似輪郭は、階調の変化はわずかであるにもかかわらず発光するサブフィールドのパターンの変化が大きいところで発生する。例えば上述した重み付けのサブフィールドを用いた場合、隣接する画素の輝度階調が「６３」と「６４」の場合、あるいは「１９１」と「１９２」の場合等にも擬似輪郭が顕著に観測される。このように、動画表示中に発生する擬似輪郭は、画質を劣化させる原因の１つとなっている。
【０００８】
この動画擬似輪郭を抑制する技術として、動画擬似輪郭が発生しにくい「第１の階調」とその「中間の階調」に映像信号の階調を変換し、変換によって生じた誤差を周辺）画素に拡散することで階調の飛びを補間する方法が提案されている（例えば、特許文献１）。
【特許文献１】特開平１０−１７１４０３号公報
【発明の開示】
【発明が解決しようとする課題】
【０００９】
サブフィールド法を用いて多階調表示を行う表示方法において、動画表示中に画質が劣化して観測される原因には、上述した動画擬似輪郭以外にも輪郭部分がぼけて観測される現象（以下、「エッジぼけ）と略記する）がある。
【００１０】
このエッジぼけについて、説明する。図１３は、ＰＤＰの画面上に輪郭部分が静止しているときの見た目の輝度レベルを示した図であり、図１４は、ＰＤＰの画面上を輪郭部分が右方向に移動するときの見た目の輝度レベルを示した図であり、図１５はＰＤＰの画面上を輪郭部分が左方向に移動するときの見た目の輝度レベルをあらわした図である。また、図１３〜図１５において、各（ａ）は輪郭部分の水平走査方向の階調値をあらわした図であり、各（ｂ）は輪郭部分をサブフィールドに展開した図であり、各（ｃ）は観測者が輪郭部分を観測したときの見た目の輝度レベルをあらわした図である。また、図１３〜図１５において横軸はＰＤＰの水平方向の画面位置をあらわし、縦軸は図１３〜図１５の各（ａ）、（ｂ）においては時間方向を図１３〜図１５の各（ｃ）においては観測者の見た目の輝度レベルをあらわし、図１３〜図１５の各（ｂ）において破線の矢印は観測者の視点移動を、ハッチングされたサブフィールドは発光しないサブフィールドをあらわしている。また、ここでは１フィールドを、（１、２、４、８、１６）の輝度重みを持つ５つのサブフィールド（ＳＦ１、ＳＦ２、・・・、ＳＦ５）に分割したとして説明を行う。
【００１１】
また、輪郭部分の階調値は、図１３〜図１５の各（ａ）に示すとおり、（ｎ）フィールドにおいて、（ｍ−１）画素までは階調値０であり、（ｍ）画素から（ｍ＋４）画素までは階調値１、３、７、１５、３１と増加していき、（ｍ＋５）画素以降は階調値３１である。また、（ｎ）フィールドにおける発光サブフィールドは、図１３〜図１５の各（ｂ）に示すとおり、（ｍ）画素（階調値１）ではＳＦ１（輝度重み１）、（ｍ＋１）画素（階調値３）ではＳＦ１とＳＦ２（輝度重み１＋２）、以降（ｍ＋４）画素（階調値３１）まで発光サブフィールドは１つずつ増えていき、（ｍ＋４）画素以降の画素（階調値３１）では全てのサブフィールド（ＳＦ１〜ＳＦ５）が発光する（輝度重み１＋２＋４＋８＋１６）。
【００１２】
輪郭部分が静止した状態では、図１３（ａ）、図１３（ｂ）に示すとおり、（ｎ）フィールドと（ｎ＋１）フィールドとの間で、階調値、発光サブフィールドに変化はない。このとき、図１３（ｂ）の破線の矢印で示すように観測者の視点に水平方向の移動がなければ、図１３（ｃ）に示すとおり観測者の見た目の輝度レベルの変化は輪郭部分の階調値の変化と同様である。
【００１３】
輪郭部分が画面上を右方向に移動する場合、例えばその移動速度が１フィールド期間に４）画素の速さであれば、階調値が１、３、７、１５、３１と増加する領域は、図１４（ａ）に示すとおり、（ｎ＋１）フィールドにおいて（ｍ＋４）画素から（ｍ＋８）画素までとなる。また、（ｎ＋１）フィールドにおける発光サブフィールドも同様に変化する。このとき、図１４（ｂ）の破線の矢印で示すように観測者の視点が輪郭部分の移動速度にあわせて右方向に移動すれば、観測者は、（ｍ−１）画素のＳＦ１から（ｍ＋７）画素のＳＦ５まで連続して非発光サブフィールドを観測し、（ｍ＋２）画素のＳＦ１から（ｍ＋１０）画素のＳＦ５まで連続して発光サブフィールドを観測することになる。したがって、図１４（ｃ）に示すとおり、連続して非発光サブフィールドを観測する見た目の輝度レベル０から連続して発光サブフィールドを観測する見た目の輝度レベル３１までの、見た目の輪郭幅は約２）画素分となり、本来の輪郭部分よりも立上りの鋭い輪郭部分を観測することになる。このような場合、観測者は本来とは異なる画像を観測することになるが、それは本来よりも輪郭部分が鋭くなった画像であるので特に画質劣化として認識されることはなく、あまり問題とはならない。
【００１４】
一方、輪郭部分が画面上を左方向に移動する場合、例えばその移動速度が１フィールド期間に４画素の速さであれば、階調値が１、３、７、１５、３１と増加する領域は、図１５（ａ）に示すとおり、（ｎ＋１）フィールドにおいて（ｍ−４）画素から（ｍ）画素までとなる。また、（ｎ＋１）フィールドにおける発光サブフィールドも同様に変化する。このとき、図１５（ｂ）の破線の矢印で示すように観測者の視点が輪郭部分の移動速度にあわせて左方向に移動すれば、観測者は、（ｍ−１）画素のＳＦ１から（ｍ−９）画素のＳＦ５まで連続して非発光サブフィールドを観測し、（ｍ＋８）画素のＳＦ１から（ｍ）画素のＳＦ５まで連続して発光サブフィールドを観測することになる。したがって、図１５（ｃ）に示すとおり、連続して非発光サブフィールドを観測する見た目の輝度レベル０から連続して発光サブフィールドを観測する見た目の輝度レベル３１までの、見た目の輪郭幅は約８）画素分となり、本来の輪郭部分よりも立上りのなまった輪郭部分を観測することになる。このような場合、観測者は本来よりも輪郭部分のぼけた画像、すなわちエッジぼけを観測し、画質の劣化として認識してしまう。
【００１５】
このように、低い階調値から高い階調値に変化する輪郭部分が移動し、それにあわせて観測者が視点を移動する場合、観測者は、輪郭部分がより高い階調値の方向に移動するとき（図１４に示した例）には本来の画像の輪郭部分よりも幅の狭い輪郭部分を観測し、逆により低い階調値の方向に移動するとき（図１５に示した例）には本来の画像の輪郭部分よりも幅の広い輪郭部分を観測する。そして、観測者が本来の画像の輪郭部分よりも幅の広い輪郭部分を観測すると、それをエッジぼけとして認識し、画質が劣化したように見てしまう。
【００１６】
上述した従来技術は、特定の階調値を有する画素同士が隣接した場合に発生する擬似輪郭については、それを抑制する効果を得ることができる。しかし、上述したようなエッジぼけについては、なんら改善効果を得ることができないという課題を有している。
【００１７】
本発明は、上述した課題に鑑みなされたものであり、エッジぼけを抑えて動画の画質を改善した画像表示方法を提供することを目的とする。
【課題を解決するための手段】
【００１８】
このような目的を達成するために、本発明の画像表示方法は、１フィールドを輝度重みの異なる複数のサブフィールドで構成し各サブフィールドを発光または非発光制御することにより多階調表示する画像表示方法であって、現フィールドの画像における輪郭領域でありかつ前フィールドよりも階調値の大きい領域を検出し、検出された領域において、所定の輝度重み以上の輝度重みを有するサブフィールドが点灯する画素では本来発光させるべき輝度よりも明るい輝度で発光するような発光サブフィールドの組合せにし、それ以外の画素では本来発光させるべき輝度よりも暗い輝度で発光するような発光サブフィールドの組合せにすることを特徴とする。
【００１９】
この方法によれば、現フィールドの画像における輪郭領域でありかつ前フィールドよりも階調値の大きい領域をより急峻な立上りの輪郭とすることができ、動画表示の際のエッジぼけを効果的に抑えて画質劣化を改善することができる。
【００２０】
また、映像信号の階調値が前フィールドよりも第１の閾値以上増加し、かつ隣接画素よりも第２の閾値以上増加している画素を検出することで、現フィールドの画像における輪郭領域でありかつ前フィールドよりも階調値の大きい領域の検出を行い、検出された領域において、映像信号から作成され各サブフィールドの発光、非発光を数値情報としてあらわすサブフィールドデータが第３の閾値以上であればそれを定数倍することで本来発光させるべき輝度よりも明るい輝度で発光するような発光サブフィールドの組合せにし、サブフィールドデータが第３の閾値未満であればそれを定数分の１倍することで本来発光させるべき輝度よりも暗い輝度で発光するような発光サブフィールドの組合せにして、検出された領域においては定数倍されたサブフィールドデータまたは定数分の１倍されたサブフィールドデータに基づいて各サブフィールドを発光または非発光制御し、検出された領域以外の領域においては映像信号から作成されたサブフィールドデータに基づいて各サブフィールドを発光または非発光制御してもよい。この方法によれば、サブフィールドデータを定数倍または定数分の１倍して、本来発光させるべき輝度よりも明るい輝度、または暗い輝度で発光するような発光サブフィールドの組合せにすることで、現フィールドの画像における輪郭領域でありかつ前フィールドよりも階調値の大きい領域をより急峻な立上りの輪郭にすることができるので、動画表示の際のエッジぼけを効果的に抑えて画質劣化を改善することができる。
【００２１】
また、映像信号の階調値が前フィールドよりも第１の閾値以上増加し、かつ隣接画素よりも第２の閾値以上増加している画素を検出することで、現フィールドの画像における輪郭領域でありかつ前フィールドよりも階調値の大きい領域の検出を行い、検出された領域において、映像信号の階調値が第３の閾値以上であればそれを定数倍しその定数倍された階調値に基づいてサブフィールドデータを作成することで本来発光させるべき輝度よりも明るい輝度で発光するような発光サブフィールドの組合せにし、映像信号の階調値が第３の閾値未満であればそれを定数分の１倍しその定数分の１倍された階調値に基づいてサブフィールドデータを作成することで本来発光させるべき輝度よりも暗い輝度で発光するような発光サブフィールドの組合せにして、検出された領域においては定数倍された階調値または定数分の１倍された階調値から作成されたサブフィールドデータに基づいて各サブフィールドを発光または非発光制御し、検出された領域以外の領域においては映像信号から作成されたサブフィールドデータに基づいて各サブフィールドを発光または非発光制御してもよい。この方法によれば、映像信号の階調値を定数倍または定数分の１倍し、その階調値からサブフィールドデータを作成して、本来発光させるべき輝度よりも明るい輝度、または暗い輝度で発光するような発光サブフィールドの組合せにすることで、現フィールドの画像における輪郭領域でありかつ前フィールドよりも階調値の大きい領域をより急峻な立上りの輪郭にすることができるので、動画表示の際のエッジぼけを効果的に抑えて画質劣化を改善することができる。
【発明の効果】
【００２２】
本発明によれば、ＰＤＰやＤＭＤ等、１フィールドの画像を複数のサブフィールド画像に分割して多階調表示を行う画像表示装置において、エッジぼけを抑えることで動画表示の際の画質劣化を改善することができる画像表示方法を提供することができる。
【発明を実施するための最良の形態】
【００２３】
以下、本発明の実施の形態について、図面を参照しながら説明する。
【００２４】
（実施の形態１）
図１は、本発明の実施の形態１におけるプラズマディスプレイ装置のＰＤＰの構造を示す斜視図である。第１の基板であるガラス製の前面板２０上には、ストライプ状の走査電極２２とストライプ状の維持電極２３とで対をなす表示電極が複数形成されている。そして走査電極２２と維持電極２３とを覆うように誘電体層２４が形成され、その誘電体層２４上に保護層２５が形成されている。第２の基板である背面板３０上には、走査電極２２および維持電極２３と立体交差するように、誘電体層３３で覆われた複数のストライプ状のデータ電極３２が形成されている。誘電体層３３上にはデータ電極３２と平行に複数の隔壁３４が配置され、この隔壁３４間の誘電体層３３上に蛍光体層３５が設けられている。また、データ電極３２は隣り合う隔壁３４の間の位置に配置されている。
【００２５】
これら前面板２０と背面板３０とは、走査電極２２および維持電極２３とデータ電極３２とが直交するように、微小な放電空間を挟んで対向配置されるとともに、その外周部をガラスフリット等の封着材によって封着している。そして放電空間には、例えばネオン（Ｎｅ）とキセノン（Ｘｅ）の混合ガスが放電ガスとして封入されている。放電空間は、隔壁３４によって複数の区画に仕切られており、各区画には赤色（Ｒ）、緑色（Ｇ）および青色（Ｂ）の各色に発光する蛍光体層３５が順次配置されている。そして、走査電極２２および維持電極２３とデータ電極３２とが交差する部分に放電セルが形成され、各色に発光する蛍光体層３５が形成された隣接する３つの放電セルにより１つの画素が構成される。この画素を構成する放電セルが形成された領域が画像表示領域となり、画像表示領域の周囲は、ガラスフリットが形成された領域等のように画像表示が行われない非表示領域となる。
【００２６】
図２は本発明の実施の形態１におけるＰＤＰの電極配列図である。列方向にｍ列のデータ電極Ｄ１〜Ｄｍ（図１のデータ電極３２）が配列され、行方向にｎ行の走査電極ＳＣ１〜ＳＣｎ（図１の走査電極２２）とｎ行の維持電極ＳＵ１〜ＳＵｎ（図１の維持電極２３）とが交互に配列されている。そして、一対の走査電極ＳＣｉ、維持電極ＳＵｉ（ｉ＝１〜ｎ）と１つのデータ電極Ｄｊ（ｊ＝１〜ｍ）とを含む放電セルＣｉ，ｊが放電空間内に形成され、放電セルＣの総数は（ｍ×ｎ）個になる。
【００２７】
このような構成のＰＤＰにおいては、ガス放電により紫外線を発生させ、この紫外線でＲ、Ｇ、Ｂの各色の蛍光体を励起して発光させることによりカラー表示を行っている。
【００２８】
図３は本発明の実施の形態１におけるＰＤＰの各電極の駆動電圧波形を示す図である。図３に示すように、各サブフィールドは初期化期間、書込み期間、維持期間を有している。また、それぞれのサブフィールドは発光期間の重みを変えるため維持期間における維持パルスの数を異ならせている以外はほぼ同様の動作を行い、各サブフィールドにおける動作原理もほぼ同様である。したがって、ここでは１つのサブフィールドについてのみ動作を説明する。
【００２９】
まず、初期化期間前半部では、データ電極Ｄ１〜Ｄｍ、維持電極ＳＵ１〜ＳＵｎをそれぞれ０（Ｖ）に保持し、走査電極ＳＣ１〜ＳＣｎには、データ電極Ｄ１〜Ｄｍに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、データ電極Ｄ１〜Ｄｍとの間でそれぞれ１回目の微弱な初期化放電が起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。ここで、電極上部の壁電圧とは電極を覆う誘電体層上に蓄積された壁電荷により生じる電圧をあらわす。
【００３０】
初期化期間後半部では、維持電極ＳＵ１〜ＳＵｎを正電圧Ｖｅに保ち、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、データ電極Ｄ１〜Ｄｍとの間でそれぞれ２回目の微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。以上により初期化動作が終了する（以下、初期化期間に各電極に印加される駆動電圧を「初期化パルス」と略記する）。
【００３１】
書込み期間では、走査電極ＳＣ１〜ＳＣｎを一旦電圧Ｖｃに保持する。次に、放電セルＣｐ，１〜Ｃｐ，ｍの書込み動作では、走査電極ＳＣｐに走査パルス電圧Ｖａを印加するとともに、データ電極Ｄ１〜Ｄｍのうちｐ行目に表示すべき映像信号に対応するデータ電極Ｄｋ（ｋは１〜ｍの整数）に正の書込みパルスＶｄを印加する。これにより、書込みパルス電圧を印加したデータ電極Ｄｋと走査電極ＳＣＰとの交差部に対応する放電セルＣｐ、ｋで書込み放電が発生する。この書込み放電により放電セルＣｐ，ｋの走査電極ＳＣｐ上部に正電圧が蓄積され、維持電極ＳＵｐ上部に負電圧が蓄積されて、書込み動作が終了する。以下、同様の書込み動作をｎ行目の放電セルＣｎ，ｋに至るまで行い、書込み動作が終了する。
【００３２】
維持期間では、走査電極ＳＣ１〜ＳＣｎを０（Ｖ）に一旦戻した後、走査電極ＳＣ１〜ＳＣｎに正の維持パルス電圧Ｖｓを印加し、その後、維持電極ＳＵ１〜ＳＵｎを０（Ｖ）に戻す。このとき、書込み放電を起こした放電セルＣｉ，ｊにおける走査電極ＳＣｉ上部と維持電極ＳＵｉ上部との間の電圧は、正の維持パルス電圧Ｖｓに加えて、書込み期間において走査電極ＳＣｉ上部および維持電極ＳＵｉ上部に蓄積された壁電圧が加算されて、放電開始電圧より大きくなり、１回目の維持放電が発生する。１回目の維持放電の後、維持電極ＳＵ１〜ＳＵｎにＶｓを印加し、その後、走査電極ＳＣ１〜ＳＣｎを０（Ｖ）に戻す。このとき、書込み放電を起こした放電セルＣｉ，ｊにおける走査電極ＳＣｉ上部と維持電極ＳＵｉ上部との間の電圧は、正の維持パルス電圧Ｖｓに加えて、書込み期間において走査電極ＳＣｉ上部および維持電極ＳＵｉ上部に蓄積された壁電圧が加算されて、放電開始電圧より大きくなり、２回目の維持放電が発生する。以降同様に、走査電極ＳＣ１〜ＳＣｎと維持電極ＳＵ１〜ＳＵｎとに維持パルスを交互に印加することにより、書込み放電を起こした放電セルＣｉ，ｋに対して維持パルスの回数だけ維持放電が継続して行われる。
【００３３】
以上がＰＤＰ１０の電極配列およびＰＤＰ１０を駆動するための駆動電圧波形とそのタイミングである。
【００３４】
図４は、本発明の実施の形態１におけるプラズマディスプレイ装置の構成を示すブロック図である。図４に示すプラズマディスプレイ装置は、ＡＤコンバータ１、映像信号処理回路２、サブフィールド処理回路３、データ電極駆動回路４、走査電極駆動回路５、維持電極駆動回路６、ＰＤＰ１０を備えている。
【００３５】
ＡＤコンバータ１は、入力されたアナログの映像信号をデジタルの映像信号に変換する。映像信号処理回路２は、入力されたデジタルの映像信号を発光期間の重みの異なる複数のサブフィールドの組合せによってＰＤＰ１０に発光表示するため、１フィールドの映像信号から各サブフィールドの制御を行うサブフィールドデータに変換する。
【００３６】
サブフィールド処理回路３は、映像信号処理回路２で作成されたサブフィールドデータからデータ電極駆動回路用制御信号、走査電極駆動回路用制御信号および維持電極駆動回路用制御信号を生成し、データ電極駆動回路４、走査電極駆動回路５、維持電極駆動回路６へそれぞれ出力する。
【００３７】
ＰＤＰ１０は、上述したとおり、列方向にｍ列のデータ電極Ｄ１〜Ｄｍ（図１のデータ電極３２）が配列され、行方向にｎ行の走査電極ＳＣ１〜ＳＣｎ（図１の走査電極２２）とｎ行の維持電極ＳＵ１〜ＳＵｎ（図１の維持電極２３）とが交互に配列されている。そして、一対の走査電極ＳＣｉ、維持電極ＳＵｉ（ｉ＝１〜ｎ）と１つのデータ電極Ｄｊ（ｊ＝１〜ｍ）とを含む放電セルＣｉ，ｊが放電空間内に（ｍ×ｎ）個形成され、赤色、緑色および青色の各色に発光する３つの放電セルにより１つの画素が構成される。
【００３８】
データ電極駆動回路４は、各データ電極３２をそれぞれ独立して駆動することができる駆動回路を内部に備え、データ電極駆動回路用制御信号に基づいて各データ電極３２を独立して駆動する。維持電極駆動回路６は、ＰＤＰ１０の全ての維持電極２３をまとめて駆動することができる駆動回路を内部に備え、維持電極駆動回路用制御信号に基づいて維持電極２３を駆動する。走査電極駆動回路５は、各走査電極２２をそれぞれ独立して駆動することができる駆動回路を内部に備え、走査電極駆動回路用制御信号に基づいて各走査電極２２を独立して駆動する。なお、それぞれの駆動は図３において説明したとおりである。
【００３９】
図５は本発明の実施の形態１における映像信号処理回路のブロック図である。
【００４０】
図５に示すように、本発明の実施の形態１の映像信号処理回路２は、フィールドメモリ１０１、階調値増加領域検出部１０２、輪郭領域検出部１０３、特定領域検出部１０４、サブフィールド変換部１０５、サブフィールドシフト部１０６、セレクタ１０７を備えている。
【００４１】
フィールドメモリ１０１は、入力されたデジタルの映像信号を１フィールド期間遅延させる。階調値増加領域検出部１０２は、入力されたデジタルの映像信号とフィールドメモリ１０１によって１フィールド期間遅延された映像信号とで階調値の差分を求め、その差分値と第１の閾値である閾値Ａとを比較する。そして、その差分値が閾値Ａ以上である画素を、前フィールドよりも現フィールドのほうが階調値が高くなっている階調値増加領域として検出する。輪郭領域検出部１０３は、入力されたデジタルの映像信号の現画素と現画素に隣接した画素とで階調値の差分を求め、その差分値と第２の閾値である閾値Ｂとを比較する。そして、その差分値が閾値Ｂ以上であれば、その画素を輪郭領域として検出する。特定領域検出部１０４は、階調値増加領域検出部１０２において階調値増加領域として検出され、かつ輪郭領域検出部１０３において輪郭領域として検出された画素を特定領域として検出する。
【００４２】
サブフィールド変換部１０５は、入力されたデジタルの映像信号を、発光させるサブフィールドの組合せを示すサブフィールドデータに変換する。例えば、１フィールドを、（１、２、４、８、１６、３２、６４、１２８）の輝度重みを持たせた８つのサブフィールド（ＳＦ１、ＳＦ２、・・・、ＳＦ８）に分割して階調表示を行う場合、サブフィールドデータを８ビットの２進数であらわす。仮に、発光サブフィールドがＳＦ７、ＳＦ６、非発光サブフィールドがＳＦ８、ＳＦ５〜ＳＦ１であれば、サブフィールドデータは、０１１０００００とあらわされる。
【００４３】
サブフィールドシフト部１０６は、サブフィールド変換部１０５において作成されたサブフィールドデータと第３の閾値である閾値Ｃとを比較する。ここで閾値Ｃはサブフィールドの番号をあらわしており、サブフィールドデータが閾値Ｃであらわされるサブフィールド番号以上のサブフィールドを発光サブフィールドとしている場合に、サブフィールドデータは閾値Ｃ以上と判断される。そして、サブフィールドデータが閾値Ｃ以上であれば、サブフィールドデータを２のべき乗であらわされる定数倍し、定数倍されることで空白となる下位のビットに１を入れる。例えば、上述の例のようにサブフィールドデータを０１１０００００とし、閾値ＣをＳＦ７をあらわす０１００００００、定数を２とすれば、サブフィールドデータ（０１１０００００）は閾値Ｃ（０１００００００）以上であるので、サブフィールドシフト部１０６は、サブフィールドデータを閾値Ｃ以上と判断して定数倍（２倍）し、最下位ビットに１を入れる。したがって、サブフィールドデータ０１１０００００は１１０００００１となる。なお、サブフィールドデータを定数倍することでサブフィールドデータがオーバーフロー（桁あふれ）する場合にはサブフィールドデータに最大値を代入してオーバーフローしないようにする。また、サブフィールドデータを定数倍したときに下位のビットに１を入れるのは、各サブフィールドをなるべく連続して発光状態として放電の安定性を向上させるためである。
【００４４】
また、サブフィールドデータが閾値Ｃ未満であれば、サブフィールドデータをその定数分の１倍し、定数分の１倍されることで空白となる上位のビットに０を入れる。例えば、サブフィールドデータを００００１１１とすれば、ＳＦ３〜ＳＦ１が発光サブフィールドであるので、サブフィールドシフト部１０６は、サブフィールドデータを閾値Ｃ（ＳＦ７）未満と判断して定数分の１倍（２分の１倍）し、最上位ビットに０を入れる。したがって、サブフィールドデータ０００００１１１は００００００１１となる。
【００４５】
セレクタ１０７は、特定領域検出部１０４において特定領域として検出された領域ではサブフィールドシフト部１０６を通過したサブフィールドデータを選択し、それ以外の領域ではサブフィールドシフト部１０６を通過していないサブフィールドデータを選択して、後段のサブフィールド処理回路３に出力する。
【００４６】
本発明の実施の形態１では、以上の構成によってエッジぼけを低減し、動画表示の際の画質を改善する。
【００４７】
なお、本発明の実施の形態１においては、階調値の最大値が２５５の場合、閾値Ａは５０程度が、閾値Ｂは２０程度が望ましい。また、サブフィールドシフト部１０６における定数は２または４が望ましく、閾値Ｃは１番目に大きい重み付けを持つサブフィールドから４番目に大きい重み付けを持つサブフィールドのいずれかが望ましい。しかし、この値はサブフィールド数や各サブフィールドの重み付け、画素数、放電特性等により最適な値が異なるので、機種ごとに最適化することが望ましい。
【００４８】
次に、映像信号処理回路２においてエッジぼけ改善の処理を施した場合の輪郭部分の見え方を、処理を施さない場合と比較して説明する。
【００４９】
図６はＰＤＰの画面上を輪郭部分が左方向に移動するときの見え方を示した図であり、図７は本発明の実施の形態１における信号処理を施した場合の輪郭部分の見え方を示した図である。また、図６、図７において、各（ａ）は輪郭部分の水平走査方向の階調値を示した図であり、各（ｂ）は輪郭部分をサブフィールドに展開した図であり、各（ｃ）は観測者が輪郭部分を観測したときの見た目の輝度レベルを示した図である。また、図６、図７の各（ａ）、（ｂ）、（ｃ）において横軸はＰＤＰの水平方向の画面位置をあらわし、縦軸は図６、図７の各（ａ）、（ｂ）においては時間方向を図６、図７の各（ｃ）においては観測者の見た目の輝度レベルをあらわし、図６、図７の各（ｂ）において破線の矢印は観測者の視点移動を、ハッチングされたサブフィールドは発光しないサブフィールドをあらわしている。また、ここでは１フィールドを、（１、２、４、８、１６、３２、６４、１２８）の輝度重みを持つ８つのサブフィールド（ＳＦ１、ＳＦ２、・・・、ＳＦ８）に分割したとして説明を行う。
【００５０】
また、輪郭部分の階調値は、図６（ａ）に示すとおり、（ｎ）フィールドにおいて、（ｍ−１）画素までは階調値０であり、（ｍ）画素から（ｍ＋６）画素までは階調値１、３、７、１５、３１、６３、１２７と増加していき、（ｍ＋７）画素以降は階調値２５５である。また、発光サブフィールドは、図６（ｂ）に示すとおり、（ｎ）フィールドにおいて、（ｍ）画素（階調値１）ではＳＦ１（輝度重み１）、（ｍ＋１）画素（階調値３）ではＳＦ１とＳＦ２（輝度重み１＋２）、以降（ｍ＋７）画素（階調値２５５）まで１つずつ発光サブフィールドが増えていき、（ｍ＋７）画素（階調値２５５）では全てのサブフィールド（ＳＦ１〜ＳＦ８）が発光する（輝度重み１＋２＋４＋８＋１６＋３２＋６４＋１２８）。
【００５１】
この輪郭部分が画面上を１フィールド期間に７画素の速さで左方向に移動する場合、階調値が１、３、７、１５、３１、６３、１２７、２５５と増加する領域は、図６（ａ）に示すとおり、（ｎ＋１）フィールドにおいて（ｍ−７）画素から（ｍ）画素までとなる。また、（ｎ＋１）フィールドにおける発光サブフィールドも同様に変化する。このとき、図６（ｂ）の破線の矢印で示すように観測者の視点が輪郭部分の移動速度にあわせて左方向に移動すれば、観測者は、（ｍ−１）画素のＳＦ１から（ｍ−１５）画素のＳＦ８まで連続して非発光サブフィールドを観測し、（ｍ＋１４）画素のＳＦ１から（ｍ）画素のＳＦ８まで連続して発光サブフィールドを観測することになる。したがって、図６（ｃ）に示すように、連続して非発光サブフィールドを観測する見た目の輝度レベル０から連続して発光サブフィールドを観測する見た目の輝度レベル２５５までの、見た目の輪郭幅は約１４画素分となり、本来の輪郭部分よりも立上りのなまったエッジぼけを観測する。
【００５２】
一方、本発明の実施の形態１におけるエッジぼけ改善の処理を施す場合、輪郭部分の階調値は次のようになる。なお、ここでは閾値Ａを５０、閾値Ｂを２０、閾値Ｃを０１００００００（ＳＦ７）、サブフィールドシフト部１０６における定数を２として説明を行う。また、輪郭部分は（ｎ−１）フィールドから（ｎ）フィールドにかけても、１フィールド期間に７画素の速さで左方向に移動しているとする。
【００５３】
まず、階調値増加領域検出部１０２は、階調値の１フィールド差分が閾値Ａ（５０）以上の領域を階調値増加領域と判断する。したがって、（ｎ）フィールドでは、（ｍ＋５）画素から（ｍ＋１３）画素までが階調値増加領域と判断され、（ｎ＋１）フィールドでは、（ｍ−２）画素から（ｍ＋６）画素までが階調値増加領域と判断される。
【００５４】
次に、輪郭領域検出部１０３は、現画素とそれに隣接した画素との差分が閾値Ｂ（２０）以上を輪郭領域と判断する。したがって、（ｎ）フィールドでは、（ｍ＋５）画素、（ｍ＋６）画素が輪郭領域と判断され、（ｎ＋１）フィールドでは、（ｍ−２）画素、（ｍ−１）画素が輪郭領域と判断される。
【００５５】
そして、特定領域検出部１０４は、階調値増加領域かつ輪郭領域と判断された領域を特定領域としているので、（ｎ）フィールドでは（ｍ＋５）画素、（ｍ＋６）画素が、（ｎ＋１）フィールドでは（ｍ−２）画素、（ｍ−１）画素がそれぞれ特定領域として判断される。
【００５６】
一方、サブフィールドシフト部１０６は、各画素の階調値と閾値Ｃ（０１００００００）とを比較し、閾値Ｃ以上のサブフィールドデータと閾値Ｃ未満のサブフィールドデータとに分けてそれぞれ処理を施す。閾値Ｃ（０１００００００）以上が発光サブフィールドとなる階調値は６４以上であり、閾値Ｃ（０１００００００）未満に発光サブフィールドがある階調値は６３以下である。したがって、階調値０、１、３、７、１５、３１、６３のサブフィールドデータは定数分の１倍（２分の１倍）されて、それぞれ０、０、０００００００１、００００００１１、０００００１１１、００００１１１１、０００１１１１１となり、階調値１２７、２５５のサブフィールドデータは定数倍（２倍）およびオーバーフロー防止の処理がされて、それぞれ１１１１１１１１、１１１１１１１１となる。
【００５７】
そして、セレクタ１０７では、特定領域検出部１０４において特定領域と判断された、（ｎ）フィールドの（ｍ＋５）画素、（ｍ＋６）画素および（ｎ＋１）フィールドの（ｍ−２）画素、（ｍ−１）画素のときだけサブフィールドシフト部１０６を通ったサブフィールドデータを選択する。したがって、図７（ｂ）に示すように（ｎ）フィールドの（ｍ＋５）画素と（ｎ＋１）フィールドの（ｍ−２）画素ではサブフィールドデータが０００１１１１１となり、（ｎ）フィールドの（ｍ＋６）画素と（ｎ＋１）フィールドの（ｍ−１）画素ではサブフィールドデータが１１１１１１１１となる。
【００５８】
このとき、図７（ｂ）の破線の矢印で示すように観測者の視点が輪郭部分の移動速度にあわせて左方向に移動すれば、観測者は、（ｍ−１）画素のＳＦ１から（ｍ−１５）画素のＳＦ８まで連続して非発光サブフィールドを観測し、（ｍ＋１３）画素のＳＦ１から（ｍ−１）画素のＳＦ８まで連続して発光サブフィールドを観測することになる。したがって、図７（ｃ）の実線に示すように、連続して非発光サブフィールドを観測する見た目の輝度レベル０から連続して発光サブフィールドを観測する見た目の輝度レベル２５５までの見た目の輪郭幅は約１３画素分となっている。すなわち、上述した処理を施すことにより、見た目の輪郭幅を、図７（ｃ）に破線で示した従来の見た目の輪郭幅よりも１画素分狭くすることができる。
【００５９】
また、見た目の輪郭幅が狭くなったのは１画素分だけであるが、これは、閾値Ｂ以上の階調値変化の急峻な部分においてのみサブフィールドシフト部１０６を通してより急峻な立上りにしたためである。このように、閾値Ｂ未満の階調値変化のなだらかな部分ではサブフィールドシフト部１０６を通さないようにすることで、見た目の違和感や不自然さを抑えつつ、より効果的にエッジぼけを低減し輪郭部分の引き締まった動画像表示を実現している。
【００６０】
このように、本発明の実施の形態１では、階調値増加領域かつ輪郭領域である特定領域を検出し、特定領域のみサブフィールドシフト部１０６を通したサブフィールドデータに切替える構成とすることで、エッジぼけを抑えて動画表示の際の画質劣化を改善することができる。
【００６１】
（実施の形態２）
図８は本発明の実施の形態２における映像信号処理回路のブロック図である。
【００６２】
図８に示す本発明の実施の形態２における映像信号処理回路２が、実施の形態１において図５に示した映像信号処理回路２と異なる点は、サブフィールドシフト部１０６に換えて階調値変換部２０６を備えた構成とした点である。またそれ以外はほぼ同じ構成であり同じ動作を行うので、ここでは実施の形態１と異なる点を中心に説明を行う。
【００６３】
図８に示すように、本発明の実施の形態２の映像信号処理回路２は、フィールドメモリ１０１、階調値増加領域検出部１０２、輪郭領域検出部１０３、特定領域検出部１０４、サブフィールド変換部１０５、階調値変換部２０６、セレクタ１０７を備えている。
【００６４】
フィールドメモリ１０１、階調値増加領域検出部１０２、輪郭領域検出部１０３、特定領域検出部１０４は、実施の形態１と同様の構成であり同様の動作を行う。
【００６５】
階調値変換部２０６では、まず映像信号の各階調値と閾値Ｃとを比較する。そして、階調値が閾値Ｃ以上であればその階調値を定数倍し、階調値が閾値Ｃ未満であればその階調値を定数分の１倍する。なお、階調値を定数倍することで設定された最大の階調値を超える場合にはその階調値には最大の階調値を代入する。
【００６６】
セレクタ１０７は、特定領域検出部１０４において特定領域として検出された領域では階調値変換部２０６を通過した映像信号を選択し、それ以外の領域では階調値変換部２０６を通過していない映像信号を選択して、サブフィールド変換部１０５に出力する。
【００６７】
サブフィールド変換部１０５は、実施の形態１と同様の動作によって映像信号からサブフィールドデータを作成し、後段のサブフィールド処理回路３に出力する。
【００６８】
本発明の実施の形態２では、以上のように、サブフィールドデータではなく階調値を変換する処理によってエッジぼけを低減し、動画表示の際の画質を改善する。
【００６９】
図９は本発明の実施の形態２における信号処理を施した場合の輪郭部分の見え方を示した図である。なお、図９の（ａ）、（ｂ）、（ｃ）の各図は実施の形態１における図６、図７の各（ａ）、（ｂ）、（ｃ）と同様であり、輪郭部分の各階調値や移動速度、閾値Ａ、閾値Ｂ、サブフィールドシフト部１０６における定数等も図６、図７と同様とする。したがって、階調値増加領域検出部１０２、輪郭領域検出部１０３、特定領域検出部１０４は実施の形態１と同様に動作するので、実施の形態１と同様、（ｎ）フィールドでは（ｍ＋５）画素、（ｍ＋６）画素が、（ｎ＋１）フィールドでは（ｍ−２）画素、（ｍ−１）画素がそれぞれ特定領域として判断される。
【００７０】
また、ここでは閾値Ｃを６４とする。したがって、階調値変換部２０６は、各画素の階調値と閾値Ｃ（６４）とを比較し、閾値Ｃ（６４）以上の映像信号と閾値Ｃ未満（６３以下）の映像信号とに分けてそれぞれ処理を施す。その結果、階調値０、１、３、７、１５、３１、６３はそれぞれ定数分の１倍（２分の１倍）されて、それぞれ階調値０、０、１、３、７、１５、３１となり、階調値１２７、２５５はそれぞれ定数倍（２倍）およびオーバーフロー防止の処理がされて、それぞれ階調値２５５、２５５となる。
【００７１】
そして、セレクタ１０７では、特定領域検出部１０４において特定領域と判断された、（ｎ）フィールドの（ｍ＋５）画素、（ｍ＋６）画素および（ｎ＋１）フィールドの（ｍ−２）画素、（ｍ−１）画素のときだけ階調値変換部２０６を通った映像信号を選択する。したがって、図９（ｂ）に示すように（ｎ）フィールドの（ｍ＋５）画素と（ｎ＋１）フィールドの（ｍ−２）画素では階調値が３１となり、（ｎ）フィールドの（ｍ＋６）画素と（ｎ＋１）フィールドの（ｍ−１）画素では階調値が２５５となる。
【００７２】
そして、図９（ｂ）に示すように、この階調値にあわせて各サブフィールドの発光、非発光が決定される。このとき、図９（ｂ）の破線の矢印で示すように観測者の視点が輪郭部分の移動速度にあわせて左方向に移動すれば、観測者は、（ｍ−１）画素のＳＦ１から（ｍ−１５）画素のＳＦ８まで連続して非発光サブフィールドを観測し、（ｍ＋１３）画素のＳＦ１から（ｍ−１）画素のＳＦ８まで連続して発光サブフィールドを観測することになる。したがって、図９（ｃ）の実線に示すように、連続して非発光サブフィールドを観測する見た目の輝度レベル０から連続して発光サブフィールドを観測する見た目の輝度レベル２５５までの見た目の輪郭幅は約１３画素分となり、実施の形態１に示した効果と同様の効果を得ることが可能となる。
【００７３】
このように、本発明の実施の形態１では、階調値増加領域かつ輪郭領域である特定領域を検出し、特定領域のみ階調値変換部２０６を通した映像信号に切替える構成とすることで、エッジぼけを抑えて動画表示の際の画質劣化を改善することができる。
【００７４】
なお、本発明の実施の形態２において、閾値Ｃは、１番目に大きい重み付けを持つサブフィールドに相当する階調値から４番目に大きい重み付けを持つサブフィールドに相当する階調値の間に設定することが望ましい。例えば、１フィールドを、（１、２、４、８、１６、３２、６４、１２８）の輝度重みを持つ８つのサブフィールド（ＳＦ１、ＳＦ２、・・・、ＳＦ８）に分割した場合であれば、１６から１２８の間に設定することが望ましい。しかし、この値はサブフィールド数や各サブフィールドの重み付け、画素数、放電特性等により最適な値が異なるので、機種ごとに最適化することが望ましい。
【００７５】
なお、上述の実施の形態では、サブフィールドデータが閾値Ｃ以上のときにサブフィールドデータを定数倍し、閾値Ｃ未満のときにサブフィールドデータを定数分の１倍する構成を説明した。しかし、何らこの構成に限定するものではなく、例えば、サブフィールドデータが閾値Ｃ以上のときにサブフィールドデータを定数倍するだけであってもよく、サブフィールドデータが閾値Ｃ未満のときにサブフィールドデータを定数分の１倍するだけであってもよい。あるいは、サブフィールドデータが閾値Ｃ以上のときにサブフィールドデータを４倍し、閾値Ｃ未満のときにサブフィールドデータを２分の１倍する等、閾値Ｃ以上のときの定数と閾値Ｃ未満のときの定数とを異なる値としてもかまわない。
【００７６】
また、上述の実施の形態ではＰＤＰを例にして説明を行ったが、１フィールドの画像を複数のサブフィールド画像に分割して多階調表示を行うサブフィールド法による画像表示方法であれば本発明を同様に適用することができ、上述と同様の効果を得ることができる。
【産業上の利用可能性】
【００７７】
本発明に係る画像表示方法は、階調値増加領域かつ輪郭領域である特定領域を検出してより急峻な立上りにすることで、見た目の違和感や不自然さを抑えつつ効果的にエッジぼけを抑えて動画表示の際の画質劣化を改善することができるので、ＰＤＰやＤＭＤ等、１フィールドの画像を複数のサブフィールド画像に分割して多階調表示を行う画像表示方法として有用である。
【図面の簡単な説明】
【００７８】
【図１】本発明の実施の形態１におけるプラズマディスプレイ装置のＰＤＰの構造を示す斜視図
【図２】同ＰＤＰの電極配列図
【図３】同ＰＤＰの各電極の駆動電圧波形を示す図
【図４】本発明の実施の形態１におけるプラズマディスプレイ装置の構成を示すブロック図
【図５】本発明の実施の形態１における映像信号処理回路のブロック図
【図６】ＰＤＰの画面上を輪郭部分が左方向に移動するときの見え方を示した図
【図７】本発明の実施の形態１における信号処理を施した場合の輪郭部分の見え方を示した図
【図８】本発明の実施の形態２における映像信号処理回路のブロック図
【図９】本発明の実施の形態２における信号処理を施した場合の輪郭部分の見え方を示した図
【図１０】従来のＰＤＰにおけるサブフィールドの構成の一例を示した図
【図１１】ＰＤＰの画面上を画像パターンＸが水平方向に移動する場合を示した図
【図１２】画像パターンＸをサブフィールドに展開した図
【図１３】ＰＤＰの画面上に輪郭部分が静止しているときの見た目の輝度レベルを示した図
【図１４】ＰＤＰの画面上を輪郭部分が右方向に移動するときの見た目の輝度レベルを示した図
【図１５】ＰＤＰの画面上を輪郭部分が左方向に移動するときの見た目の輝度レベルをあらわした図
【符号の説明】
【００７９】
１    ＡＤコンバータ
２    映像信号処理回路
３    サブフィールド処理回路
４    データ電極駆動回路
５    走査電極駆動回路
６    維持電極駆動回路
１０    プラズマディスプレイパネル（ＰＤＰ）
２０    （ガラス製の）前面板
２２    走査電極
２３    維持電極
２４    誘電体層
２５    保護層
３０    背面板
３２    データ電極
３３    誘電体層
３４    隔壁
３５    蛍光体層
１０１    フィールドメモリ
１０２    階調値増加領域検出部
１０３    輪郭領域検出部
１０４    特定領域検出部
１０５    サブフィールド変換部
１０６    サブフィールドシフト部
１０７    セレクタ
２０６    階調値変換部
【図１】
2006084624.tif 000003
【図２】
2006084624.tif 000004
【図３】
2006084624.tif 000005
【図４】
2006084624.tif 000006
【図５】
2006084624.tif 000007
【図６】
2006084624.tif 000008
【図７】
2006084624.tif 000009
【図８】
2006084624.tif 000010
【図９】
2006084624.tif 000011
【図１０】
2006084624.tif 000012
【図１１】
2006084624.tif 000013
【図１２】
2006084624.tif 000014
【図１３】
2006084624.tif 000015
【図１４】
2006084624.tif 000016
【図１５】
2006084624.tif 000017